(57)【特許請求の範囲】
【請求項１】
複数の映像表示装置から構成されるマルチ画面表示装置であって、
各前記映像表示装置は、
他の前記映像表示装置とデイジーチェイン接続可能な、映像信号用入力端子、映像信号用出力端子、制御信号用入力端子、および制御信号用出力端子と、
前記映像信号用入力端子を介して各前記映像表示装置へ入力される映像信号の状態を前記映像信号のＨＤＣＰ認証動作状態、同期信号周波数、画素周波数および同期信号極性により検出する状態検出部と、
検出された前記映像信号が変化しているまたは不安定である場合、各前記映像表示装置が表示する映像をミュートする映像ミュート動作を行う映像ミュート部と、
検出された前記映像信号が変化せずかつ安定している場合に映像ミュート解除条件が成立したことを判定する判定部と、
自身をマスター装置として動作させるマスターモードと、スレーブ装置として動作させるスレーブモードとに設定を切り替える切替部と、
を備え、
前記マスターモードに設定された映像表示装置は、自身の前記映像ミュート解除条件が成立した場合、前記スレーブモードに設定された映像表示装置に対し、映像ミュート解除コマンドを送信し、
各前記映像表示装置は、自身の前記映像ミュート解除条件が成立した場合、前記映像ミュート解除コマンドに同期して映像ミュート動作を解除する、マルチ画面表示装置。
【請求項２】
前記スレーブモードに設定された前記映像表示装置は、前記映像ミュート解除コマンドを受信しない場合、自身の前記判定部により前記映像ミュート解除条件が成立したことを判定した後、一定期間経過後に前記映像ミュート動作を解除する、請求項１記載のマルチ画面表示装置。
【請求項３】
前記スレーブモードに設定された前記映像表示装置は、自身の前記映像ミュート解除条件が成立した場合にその旨を前記マスターモードに設定された前記映像表示装置に通知し、
前記マスターモードに設定された前記映像表示装置は、前記スレーブモードに設定された全ての映像表示装置から前記映像ミュート解除条件が成立したことの通知を受けた場合、前記映像ミュート解除コマンドを送信する、請求項１記載のマルチ画面表示装置。
【発明の詳細な説明】
【技術分野】
【０００１】
本発明は、複数の映像信号入力を選択または切り替えて、複数の映像表示装置の表示面に表示するマルチ画面表示装置に関するものである。
【背景技術】
【０００２】
複数の映像表示装置の画面を配列して１つの大画面が構成されるマルチ画面表示装置は、監視ルームまたは空港等の公共施設などに設置されている。映像表示装置は、単一の映像信号を分配器またはスイッチャ等を用いて分配したり、マトリクススイッチャにて映像信号を選択的に切り替えて拡大または合成したりして表示する機能を有している。映像表示装置は、入力される映像信号が欠落したり変化したりする際に発生する画面ノイズを消去するための映像ミュート機能を備えている（例えば、特許文献１，２参照）。
【先行技術文献】
【特許文献】
【０００３】
【特許文献１】特開平６−１６５０３２号公報
【特許文献２】特開２００９−７７１９２号公報
【発明の概要】
【発明が解決しようとする課題】
【０００４】
しかしながら、従来のマルチ画面表示装置では、映像ミュート動作は、表示面を構成する複数の映像表示装置において各々実行されている。それぞれの映像表示装置への入力信号の条件、ＨＤＣＰ（High-bandwidth Digital Content Protection）認証動作状況、および実装されたＦＷ（Firmware）のバージョン等の条件が異なるため、ミュート動作解除タイミングが揃わず、映像ミュート動作におけるマルチ画面表示装置の表示品位が悪化するという問題があった。
【０００５】
そこで、本発明は、映像ミュート動作におけるマルチ画面表示装置の表示品位を改善することが可能な技術を提供することを目的とする。
【課題を解決するための手段】
【０００６】
本発明に係るマルチ画面表示装置は、複数の映像表示装置から構成されるマルチ画面表示装置であって、各前記映像表示装置は、他の前記映像表示装置とデイジーチェイン接続可能な、映像信号用入力端子、映像信号用出力端子、制御信号用入力端子、および制御信号用出力端子と、前記映像信号用入力端子を介して各前記映像表示装置へ入力される映像信号の状態を前記映像信号のＨＤＣＰ認証動作状態、同期信号周波数、画素周波数および同期信号極性により検出する状態検出部と、検出された前記映像信号が変化しているまたは不安定である場合、各前記映像表示装置が表示する映像をミュートする映像ミュート動作を行う映像ミュート部と、検出された前記映像信号が変化せずかつ安定している場合に映像ミュート解除条件が成立したことを判定する判定部と、自身をマスター装置として動作させるマスターモードと、スレーブ装置として動作させるスレーブモードとに設定を切り替える切替部とを備え、前記マスターモードに設定された映像表示装置は、自身の前記映像ミュート解除条件が成立した場合、前記スレーブモードに設定された映像表示装置に対し、映像ミュート解除コマンドを送信し、各前記映像表示装置は、自身の前記映像ミュート解除条件が成立した場合、前記映像ミュート解除コマンドに同期して映像ミュート動作を解除するものである。
【発明の効果】
【０００７】
本発明によれば、マスターモードに設定された映像表示装置は、自身の映像ミュート解除条件が成立した場合、スレーブモードに設定された映像表示装置に対し、映像ミュート解除コマンドを送信し、各映像表示装置は、自身の映像ミュート解除条件が成立した場合、映像ミュート解除コマンドに同期して映像ミュート動作を解除する。
【０００８】
したがって、マルチ画面表示装置を構成する各映像表示装置の映像ミュート動作の解除を同じタイミングで行うことができるため、映像ミュート動作におけるマルチ画面表示装置の表示品位を改善することができる。
【図面の簡単な説明】
【０００９】
【図１】実施の形態１に係るマルチ画面表示装置の構成図である。
【図２】実施の形態１に係るマルチ画面表示装置を構成する映像表示装置のブロック図である。
【図３】実施の形態１におけるＯＳＤ操作画面（マスターモード）の模式図である。
【図４】実施の形態１におけるＯＳＤ操作画面（スレーブモード）の模式図である。
【図５】実施の形態１におけるＯＳＤ操作画面（オフモード）の模式図である。
【図６】実施の形態１に係るマルチ画面表示装置の全体動作のフローチャートである。
【図７】実施の形態１に係るマルチ画面表示装置の映像ミュート処理のフローチャートの一部である。
【図８】実施の形態１に係るマルチ画面表示装置の映像ミュート処理のフローチャートの残部である。
【図９】実施の形態２に係るマルチ画面表示装置の映像ミュート処理のフローチャートの一部である。
【図１０】実施の形態２に係るマルチ画面表示装置の映像ミュート処理のフローチャートの残部である。
【発明を実施するための形態】
【００１０】
＜実施の形態１＞
本発明の実施の形態１について、図面を用いて以下に説明する。図１は、実施の形態１に係るマルチ画面表示装置の構成図である。
【００１１】
図１に示すように、マルチ画面表示装置は、複数（例えば９台）の映像表示装置１００〜１０８により構成されている。各映像表示装置は、単一の表示デバイス（例えば液晶パネル）と、例えばＲＳ２３２Ｃ等の双方向通信制御線の入力端子および出力端子を備えているが、各映像表示装置の構成の詳細な説明については後述する。映像表示装置１００〜１０８は、信号ケーブル１０で数珠つなぎ（デイジーチェイン接続）により接続されている。図１において、映像表示装置１００は、通信および制御機能におけるマスター装置として設定され、映像表示装置１０１〜１０８は、スレーブ装置として設定されている。
【００１２】
図２は、マルチ画面表示装置を構成する映像表示装置１００のブロック図である。なお、映像表示装置１０１〜１０８に関しても、映像表示装置１００と同等の回路構成となるため説明を省略する。
【００１３】
図２に示すように、映像表示装置１００は、入力端子２、出力端子３、映像信号リピータ４、スケーラＩＣ５、マイクロコントローラ６、ＬＣＤ（液晶）パネル７、および赤外線リモコン受光部８を備えている。入力端子２および出力端子３は双方向制御信号用の端子であり、例えばＲＳ２３２Ｃの場合はＴＸＤ（送信データ）／ＲＸＤ（受信データ）信号がそれぞれ入力端子２および出力端子３の両方に備えられる。映像信号リピータ４は、映像信号入力端子（図示省略）および複数の映像信号出力端子（図示省略）を備え、他の映像表示装置とのデイジーチェイン接続を可能としている。また、映像信号リピータ４の出力はスケーラＩＣ５にも接続されている。
【００１４】
スケーラＩＣ５は、映像信号リピータ４から入力された映像信号の同期信号周波数、画素周波数および同期信号極性の検出と安定度判別を行い、かつ、外部ソースとの間のＨＤＣＰ認証動作も実行している。
【００１５】
マイクロコントローラ６は、スケーラＩＣ５の通信制御端子と、映像信号リピータ４に接続され、スケーラＩＣ５および映像信号リピータ４を制御する。さらに、マイクロコントローラ６は、赤外線リモコン受光部８と接続され、外部の赤外線リモコン（図示省略）から送信される操作コマンドを受信する。ＬＣＤパネル７は、入力された映像信号に基づいて映像を表示するとともに、ＯＳＤ操作画面を表示する。
【００１６】
次に、ＬＣＤパネル７に表示されるＯＳＤ操作画面について説明する。図３は、ＯＳＤ操作画面（マスターモード）の模式図、図４は、ＯＳＤ操作画面（スレーブモード）の模式図、図５は、ＯＳＤ操作画面（オフモード）の模式図である。
【００１７】
図３、図４および図５に示すように、映像表示装置１００の制御モードの選択メニュー５０は、映像表示装置１００をマスター装置として動作させるマスターモードと、スレーブ装置として動作させるスレーブモードと、全ての動作を停止させるオフモードとに設定を切り替えるための画面である。これらのモードは赤外線リモコンを用いて選択され、マイクロコントローラ６によってモードが設定される。なお、マイクロコントローラ６が、自身を備える映像表示装置をマスター装置として動作させるマスターモードと、スレーブ装置として動作させるスレーブモードとに設定を切り替える切替部とに相当する。
【００１８】
次に、マルチ画面表示装置の全体動作について説明する。図６は、マルチ画面表示装置の全体動作のフローチャートである。マルチ画面表示装置の全体動作は、マルチ画面表示装置を構成する映像表示装置１００〜１０８のマイクロコントローラ６により実行される。なお、図６の説明においてマイクロコントローラ６とは、マルチ画面表示装置を構成する各映像表示装置のマイクロコントローラ６を示すものとする。
【００１９】
各映像表示装置は起動されると、図６のフローチャートの処理が開始される。図６に示すように、マイクロコントローラ６は、内蔵メモリ、ＩＯポート、スケーラＩＣ５、および映像信号リピータ４等の周辺ＩＣの初期設定を行う初期化処理を実行する（ステップＳ１）。次に、マイクロコントローラ６は、入力された映像信号のＨＤＣＰ認証動作状態、同期信号周波数、画素周波数および同期信号極性等の状態を検出する入力信号検出処理をスケーラＩＣ５に実行させる（ステップＳ２）。なお、スケーラＩＣ５が、各映像表示装置へ入力される映像信号の状態を検出する状態検出部に相当する。次に、マイクロコントローラ６は、他の映像表示装置および外部の制御装置との通信コマンドの送受信を行う通信処理を実行する（ステップＳ３）。
【００２０】
次に、マイクロコントローラ６は、ステップＳ２の入力信号検出処理の検出結果に従って映像ミュート（映像消去）処理を実行する（ステップＳ４）。映像ミュート処理の詳細については後述する。なお、マイクロコントローラ６が、検出された映像信号が変化しているまたは不安定である場合、各映像表示装置が表示する映像をミュートする映像ミュート動作を行う映像ミュート部に相当する。
【００２１】
次に、マイクロコントローラ６は、ＯＳＤおよびリモコン操作処理（ステップＳ５）、スケーラＩＣ５によるスケーリング表示の設定を行うスケーリング表示処理（ステップＳ６）、およびスケーラＩＣ５とＬＣＤパネル７のバックライト制御による輝度・色制御処理（ステップＳ７）を実行する。ステップＳ２からステップＳ７はメインループを構成し、繰り返し実行される。
【００２２】
次に、映像ミュート処理の詳細について説明する。図７は、マルチ画面表示装置の映像ミュート処理のフローチャートの一部であり、図８は、マルチ画面表示装置の映像ミュート処理のフローチャートの残部である。図７と図８は、図６のステップＳ４の処理の詳細を示すものである。
【００２３】
図７と図８に示すように、マルチ画面表示装置を構成する各映像表示装置のマイクロコントローラ６は、図６のステップＳ２の入力信号検出処理の検出結果を参照し、入力された映像信号が変化しているか否かを判定する（ステップＳ４０１）。なお、図７と図８の説明において、単にマイクロコントローラ６という場合は、マルチ画面表示装置を構成する各映像表示装置のマイクロコントローラ６を示すものとする。
【００２４】
ここで、映像信号の変化とは、マイクロコントローラ６が認識している映像信号の周波数または同期信号の極性の変化を意味する。映像信号の周波数の変化とは、例えば、入力信号検出処理における前後の時間で比較して、周波数の帯域が所定の割合を超えて変化したことをいう。映像信号の変化は、ＰＣまたはブルーレイにおける映像ソースの解像度切替動作またはマトリクススイッチャによる信号ソース切替動作等に伴うものであり、映像信号の変化は、有信号状態から無信号状態への変化も含むものである。また、映像信号の周波数は、水平周波数および垂直周波数を含み、同期信号は、水平同期信号および垂直同期信号を含むものである。
【００２５】
ステップＳ４０１において、マイクロコントローラ６はさらに、入力された映像信号が不安定であるか否かも判定している。マイクロコントローラ６は、入力された映像信号が変化しているまたは不安定であると判定した場合（ステップＳ４０１においてＹｅｓ）、映像ミュート動作を開始し（ステップＳ４０２）、映像ミュート処理を終了する。ここで、映像ミュート処理とは、図６のステップＳ４で実行される処理全体をいい、映像ミュート動作とは、各映像表示装置が表示する映像をミュートする動作のことをいう。
【００２６】
他方、マイクロコントローラ６は、入力された映像信号が変化していないと判定した場合（ステップＳ４０１においてＮｏ）、この映像信号が安定しているか否かを判定する（ステップＳ４０３）。ここで、映像信号が安定しているか否かの判定方法について説明する。ドットクロック、水平同期信号の周波数または垂直同期信号の周波数のいずれかが許容範囲を超えた場合、映像信号が不安定状態であると判定される。この不安定状態は、映像信号伝送系の外来ノイズによるもの、または上記のような入力された映像信号の変化に伴い発生する場合がある。また、これらについて許容範囲を超えない場合は安定状態であると判定される。
【００２７】
マイクロコントローラ６は、ステップＳ４０１においてＮｏ、かつ、ステップＳ４０３においてＹｅｓの場合（すなわち、映像信号が変化せずかつ安定している場合）、映像ミュート解除条件が成立したことを判定する。なお、マイクロコントローラ６が、検出された映像信号が変化せずかつ安定している場合に映像ミュート解除条件が成立したことを判定する判定部に相当する。
【００２８】
マイクロコントローラ６は、映像信号が安定していないと判定した場合（ステップＳ４０３においてＮｏ）、映像ミュート処理を終了する。他方、マイクロコントローラ６は、映像信号が安定していると判定した場合（ステップＳ４０３においてＹｅｓ）、当該マイクロコントローラ６を備える映像表示装置に対してどの制御モードが設定されているかを判定する（ステップＳ４０４）。
【００２９】
マイクロコントローラ６は、オフモードが設定されていると判定した場合、映像ミュート動作を解除し、スケーラＩＣ５を介して自身を備える映像表示装置のＬＣＤパネル７に映像を表示させた後（ステップ４１１）、映像ミュート処理を終了する。マイクロコントローラ６は、スレーブモードが設定されていると判定した場合、この処理が安定した映像信号を受信後初回の実行か否か（つまり、既に１０秒タイマをスタートさせたか否か）を判定し、初回の場合は（ステップＳ４１２においてＹｅｓ）、１０秒タイマのカウントをスタートさせた後（ステップＳ４１３）、処理をステップＳ４１４へ移行させる。なお、タイマの時間は、１０秒に限定されることなく、１秒から９秒または１１秒以上の時間を設定可能である。初回でない場合も（ステップＳ４１２においてＮｏ）、処理をステップＳ４１４へ移行させる。
【００３０】
ステップＳ４１４において、マイクロコントローラ６は、マスターモードに設定された映像表示装置１００から送信された映像ミュート解除コマンドを受信済みであるか否かを判定する。マイクロコントローラ６は、受信済みであると判定した場合（ステップＳ４１４においてＹｅｓ）、映像ミュート動作を解除し、スケーラＩＣ５を介して自身を備える映像表示装置のＬＣＤパネル７に映像を表示させた後（ステップ４１１）、映像ミュート処理を終了する。
【００３１】
マイクロコントローラ６は、映像ミュート解除コマンドを受信していないと判定した場合（ステップＳ４１４においてＮｏ）、１０秒タイマにおいて１０秒経過したか（映像ミュート動作開始から１０秒経過したか）否かを判定する（ステップＳ４１５）。マイクロコントローラ６は、１０秒経過したと判定した場合（ステップＳ４１５においてＹｅｓ）、１０秒タイマをストップさせるとともに映像ミュート動作を解除し、スケーラＩＣ５を介して自身を備える映像表示装置のＬＣＤパネル７に映像を表示させた後（ステップＳ４１１）、映像ミュート処理を終了する。マイクロコントローラ６は、１０秒経過していないと判定した場合（ステップＳ４１５においてＮｏ）、映像ミュート処理を終了する。
【００３２】
ステップＳ４０４において、マイクロコントローラ６は、マスターモードが設定されていると判定した場合、この処理が安定した映像信号を受信後初回の実行か否か（つまり、既に２秒タイマをスタートさせたか否か）を判定し、初回の場合は（ステップＳ４０５においてＮｏ）、２秒タイマのカウントをスタートさせた後（ステップＳ４０６）、映像ミュート処理を終了する。なお、タイマの時間は、２秒に限定されることなく、１秒または３秒以上の時間を設定可能である。
【００３３】
マイクロコントローラ６は、２秒タイマのカウントをスタートさせていた場合（ステップＳ４０５においてＹｅｓ）、２秒タイマにおいて２秒経過したか否かを判定する（ステップＳ４０７）。マイクロコントローラ６は、２秒経過していないと判定した場合（ステップＳ４０７においてＮｏ）、映像ミュート処理を終了する。他方、マイクロコントローラ６は、２秒経過したと判定した場合（ステップＳ４０７においてＹｅｓ）、処理をステップＳ４０８へ移行させる。ここで、２秒タイマでカウントされる２秒は、スレーブモードに設定された全ての映像表示装置１０１〜１０８の動作（映像ミュート動作の解除）と同期させるための待ち時間である。
【００３４】
ステップＳ４０８において、マイクロコントローラ６は、２秒タイマをストップさせるとともに、スレーブモードに設定された全ての映像表示装置１０１〜１０８に対する映像ミュート解除コマンドの送信指示を行ったか否かを判定する。ここでは、マスターモードに設定された映像表示装置１００が、スレーブモードに設定された全ての映像表示装置１０１〜１０８へ映像ミュート解除コマンドの送信指示を図６のステップＳ３で行ったか否かの判定を行っている。つまり、ステップＳ４０８は、自身を備える映像表示装置１００に対して通信手段で接続された他の全ての映像表示装置１０１〜１０８の映像ミュート解除を行うためのステップである。
【００３５】
マイクロコントローラ６は、映像ミュート解除コマンドの送信指示を行っていないと判定した場合（ステップＳ４０８においてＮｏ）、スレーブモードに設定された全ての映像表示装置（全てのスレーブ装置）１０１〜１０８に対して映像ミュート解除コマンドの送信指示を行った後（ステップＳ４０９）、映像ミュート処理を終了する。図６のステップＳ３においては、同報コマンドを用いて１つの通信コマンドにより、スレーブモードに設定された全ての映像表示装置１０１〜１０８へ映像ミュート解除コマンドが送信される。
【００３６】
他方、マイクロコントローラ６は、映像ミュート解除コマンドを送信指示済みであると判定した場合（ステップＳ４０８においてＹｅｓ）、映像ミュート解除コマンドが図６のステップＳ３において送信されたか否かを判定する（ステップＳ４１０）。これは、マスターモードに設定された映像表示装置自身が、映像ミュート解除を行うためのステップである。マイクロコントローラ６は、ステップＳ４０９で行われた映像ミュート解除コマンドの送信指示に従って、図６のステップＳ３で映像ミュート動作の解除が実行（すなわち、映像ミュート解除コマンドの送信指示が実行）されたことを確認後、自身を備える映像表示装置のミュート解除を行っている。
【００３７】
マイクロコントローラ６は、映像ミュート解除コマンドの送信を行っていないと判定した場合（ステップＳ４１０においてＮｏ）、映像ミュート処理を終了する。
【００３８】
マイクロコントローラ６は、映像ミュート解除コマンドを送信済みであると判定した場合（ステップＳ４１０においてＹｅｓ）、映像ミュート動作を解除し、スケーラＩＣ５を介して自身を備える映像表示装置のＬＣＤパネル７に映像を表示させた後（ステップＳ４１１）、映像ミュート処理を終了する。
【００３９】
以上のように、実施の形態１に係るマルチ画面表示装置では、マスターモードに設定された映像表示装置１００は、自身の映像ミュート解除条件が成立した場合、スレーブモードに設定された映像表示装置１０１〜１０８に対し、映像ミュート解除コマンドを送信し、各映像表示装置は、自身の映像ミュート解除条件が成立した場合、映像ミュート解除コマンドに同期して映像ミュート動作を解除する。
【００４０】
したがって、マルチ画面表示装置を構成する各映像表示装置の映像ミュート動作の解除を同じタイミングで行うことができるため、映像ミュート動作におけるマルチ画面表示装置の表示品位を改善することができる。
【００４１】
スレーブモードに設定された映像表示装置１０１〜１０８は、映像ミュート解除コマンドを受信しない場合、自身の判定部により映像ミュート解除条件が成立したことを判定した後、一定期間経過後に映像ミュートを解除する。したがって、映像ミュート解除コマンドの送信または受信エラーが発生した場合でも映像ミュート動作が解除されて映像表示が行われるため、映像ミュート動作の誤動作を防止することができる。
【００４２】
また、各映像表示装置は、マスターモードとスレーブモードとに設定を切り替えることができるため、同じ構成の映像表示装置に対し、マスター装置とスレーブ装置の両方の使い方を可能としている。
【００４３】
＜実施の形態２＞
次に、実施の形態２に係るマルチ画面表示装置について説明する。図９は、実施の形態２に係るマルチ画面表示装置の映像ミュート処理のフローチャートの一部であり、図１０は、マルチ画面表示装置の映像ミュート処理のフローチャートの残部である。なお、実施の形態２において、実施の形態１で説明したものと同一の構成要素については同一符号を付して説明は省略する。
【００４４】
実施の形態２においては、実施の形態１に対して、図６に示したマルチ画面表示装置の全体動作のフローチャートは同じであるが、マルチ画面表示装置の映像ミュート処理のフローチャートが一部異なっている。以下、マルチ画面表示装置の映像ミュート処理のフローチャートについて説明する。
【００４５】
図９と図１０に示すように、各映像表示装置のマイクロコントローラ６は、図６のステップＳ２の入力信号検出処理の検出結果を参照し、入力された映像信号が変化しているか否かを判定する（ステップＳ４０１）。なお、図９と図１０の説明において、単にマイクロコントローラ６という場合は、マルチ画面表示装置を構成する各映像表示装置のマイクロコントローラ６を示すものとする。
【００４６】
マイクロコントローラ６は、入力された映像信号が変化していると判定した場合（ステップＳ４０１においてＹｅｓ）、映像ミュート動作を開始し（ステップＳ４０２）、映像ミュート処理を終了する。
【００４７】
他方、マイクロコントローラ６は、入力された映像信号が変化していないと判定した場合（ステップＳ４０１においてＮｏ）、この映像信号が安定しているか否かを判定する（ステップＳ４０３）。
【００４８】
マイクロコントローラ６は、映像信号が安定していないと判定した場合（ステップＳ４０３においてＮｏ）、映像ミュート処理を終了する。他方、マイクロコントローラ６は、映像信号が安定していると判定した場合（ステップＳ４０３においてＹｅｓ）、当該マイクロコントローラ６を備える映像表示装置に対してどの制御モードが設定されているかを判定する（ステップＳ４０４）。
【００４９】
マイクロコントローラ６は、オフモードが設定されていると判定した場合、映像ミュート動作を解除し、スケーラＩＣ５を介して自身を備える映像表示装置のＬＣＤパネル７に映像を表示させた後（ステップ４１１）、映像ミュート処理を終了する。マイクロコントローラ６は、スレーブモードが設定されていると判定した場合、この処理が安定した映像信号を受信後初回の実行か否か（つまり、既に１０秒タイマをスタートさせたか否か）を判定し、初回の場合は（ステップＳ４１２においてＹｅｓ）、１０秒タイマのカウントをスタートさせた後（ステップＳ４１３）、処理をステップＳ４１３Ａへ移行させる。
【００５０】
ステップＳ４１３Ａにおいて、マイクロコントローラ６は、マスターモードに設定された映像表示装置（マスター装置）１００に対し、自身を備える映像表示装置の映像ミュート解除条件が成立した旨（ミュート解除レディ）を通知する要求を出す。このミュート解除レディの通知は、図６のステップＳ３にてマスターモードに設定された映像表示装置１００に対し送信される。次に、マイクロコントローラ６は処理をステップＳ４１４へ移行させる。初回でない場合も（ステップＳ４１２においてＮｏ）、処理をステップＳ４１４へ移行させる。
【００５１】
ステップＳ４１４において、マイクロコントローラ６は、マスターモードに設定された映像表示装置１００から送信された映像ミュート解除コマンドを受信済みであるか否かを判定する。マイクロコントローラ６は、受信済みであると判定した場合（ステップＳ４１４においてＹｅｓ）、映像ミュート動作を解除し、スケーラＩＣ５を介して自身を備える映像表示装置のＬＣＤパネル７に映像を表示させた後（ステップ４１１）、映像ミュート処理を終了する。
【００５２】
マイクロコントローラ６は、映像ミュート解除コマンドを受信していないと判定した場合（ステップＳ４１４においてＮｏ）、１０秒タイマにおいて１０秒経過したか（映像ミュート動作開始から１０秒経過したか）否かを判定する（ステップＳ４１５）。マイクロコントローラ６は、１０秒経過したと判定した場合（ステップＳ４１５においてＹｅｓ）、１０秒タイマをストップさせるとともに映像ミュート動作を解除し、スケーラＩＣ５を介して自身を備える映像表示装置のＬＣＤパネル７に映像を表示させた後（ステップＳ４１１）、映像ミュート処理を終了する。マイクロコントローラ６は、１０秒経過していないと判定した場合（ステップＳ４１５においてＮｏ）、映像ミュート処理を終了する。
【００５３】
マイクロコントローラ６は、マスターモードが設定されていると判定した場合、スレーブモードに設定された全ての映像表示装置１０１〜１０８がミュート解除レディ状態になっているか否かを判定する（ステップＳ４０５Ａ）。この判定は、スレーブモードに設定された全ての映像表示装置１０１〜１０８からミュート解除レディの通知を受信したか否かでなされる。マイクロコントローラ６は、スレーブモードに設定された全ての映像表示装置１０１〜１０８がミュート解除レディ状態になっていないと判定した場合（ステップＳ４０５ＡにおいてＮｏ）、映像ミュート処理を終了する。マイクロコントローラ６は、スレーブモードに設定された全ての映像表示装置１０１〜１０８がミュート解除レディ状態になっていると判定した場合（ステップＳ４０５ＡにおいてＹｅｓ）、処理をステップＳ４０８へ移行させる。このミュート解除レディ状態の判定は、スレーブモードに設定された全ての映像表示装置１０１〜１０８の動作（映像ミュート動作の解除）と同期させるための処理である。
【００５４】
ステップＳ４０８において、マイクロコントローラ６は、スレーブモードに設定された全ての映像表示装置１０１〜１０８に対する映像ミュート解除コマンドの送信指示を行ったか否かを判定する。
【００５５】
マイクロコントローラ６は、映像ミュート解除コマンドの送信指示を行っていないと判定した場合（ステップＳ４０８においてＮｏ）、スレーブモードに設定された全ての映像表示装置１０１〜１０８に対して映像ミュート解除コマンドの送信指示を行った後（ステップＳ４０９）、映像ミュート処理を終了する。図６のステップＳ３においては、同報コマンドを用いて１つの通信コマンドにより、スレーブモードに設定された全ての映像表示装置１０１〜１０８へ映像ミュート解除コマンドが送信される。
【００５６】
他方、マイクロコントローラ６は、映像ミュート解除コマンドを送信指示済みであると判定した場合（ステップＳ４０８においてＹｅｓ）、映像ミュート解除コマンドが図６のステップＳ３において送信されたか否かを判定する（ステップＳ４１０）。
【００５７】
マイクロコントローラ６は、映像ミュート解除コマンドの送信を行っていないと判定した場合（ステップＳ４１０においてＮｏ）、映像ミュート処理を終了する。
【００５８】
マイクロコントローラ６は、映像ミュート解除コマンドを送信済みであると判定した場合（ステップＳ４１０においてＹｅｓ）、映像ミュート動作を解除し、スケーラＩＣ５を介して自身を備える映像表示装置のＬＣＤパネル７に映像を表示させた後（ステップＳ４１１）、映像ミュート処理を終了する。
【００５９】
以上のように、実施の形態２に係るマルチ画面表示装置では、スレーブモードに設定された映像表示装置１０１〜１０８は、自身の映像ミュート解除条件が成立した場合にその旨をマスターモードに設定された映像表示装置１００に通知し、マスターモードに設定された映像表示装置１００は、スレーブモードに設定された全ての映像表示装置１０１〜１０８から映像ミュート解除条件が成立したことの通知を受けた場合、映像ミュート解除コマンドを送信する。
【００６０】
したがって、適切なタイミングで映像ミュート動作を解除することができるため、映像がミュートされている時間（映像ミュート時間）を最適化して最短とすることができる。
【００６１】
なお、本発明は、その発明の範囲内において、各実施の形態を自由に組み合わせたり、各実施の形態を適宜、変形、省略することが可能である。
【符号の説明】
【００６２】
５  スケーラＩＣ、６  マイクロコントローラ、１００，１０１，１０２，１０３，１０４，１０５，１０６，１０７，１０８  映像表示装置。
【図１】
0006552324.tif 000002
【図２】
0006552324.tif 000003
【図３】
0006552324.tif 000004
【図４】
0006552324.tif 000005
【図５】
0006552324.tif 000006
【図６】
0006552324.tif 000007
【図７】
0006552324.tif 000008
【図８】
0006552324.tif 000009
【図９】
0006552324.tif 000010
【図１０】
0006552324.tif 000011